(57)【要約】【課題】吸水、吸湿性を抑制した機能性グリコールゲルの提供。【解決手段】（ａ）グリコール系溶剤３０〜９８．４質量％（ｂ）ゲル化剤０．５〜３質量％（ｃ）水、及び（ｄ）機能性成分を必須成分として含有する機能性グリコールゲルであって、ｉ）成分（ａ）のグリコール系溶剤に対する水の溶解度が５０ｇ／１００ｇ以上である場合、水の配合量を２０〜５０質量％とし、ｉｉ）成分（ａ）のグリコール系溶剤に対する水の溶解度が５０ｇ／１００ｇ未満である場合、水の配合量を１質量％から該溶剤に対する水の溶解度に相当する量までとすることを特徴とする機能性グリコールゲル。【選択図】なし【特許請求の範囲】
【請求項１】
（ａ）グリコール系溶剤３０〜９８．４質量％
（ｂ）ゲル化剤０．５〜３質量％
（ｃ）水、及び
（ｄ）機能性成分
を必須成分として含有する機能性グリコールゲルであって、
ｉ）成分（ａ）のグリコール系溶剤に対する水の溶解度が５０ｇ／１００ｇ以上である場合、水の配合量を２０〜５０質量％とし、
ｉｉ）成分（ａ）のグリコール系溶剤に対する水の溶解度が５０ｇ／１００ｇ未満である場合、水の配合量を１質量％から該溶剤に対する水の溶解度に相当する量までとすることを特徴とする機能性グリコールゲル。
【請求項２】
前記ゲル化剤が、１，３：２，４−ビス−Ｏ−ベンジリデン−Ｄ−グリシトール（ジベンジリデンソルビトール）であることを特徴とする請求項１記載の機能性グリコールゲル。
【請求項３】
機能性成分が、洗浄成分、殺虫成分、昆虫忌避成分、殺ダニ成分、ダニ忌避成分、香料又は消臭成分から選択される少なくとも１種である請求項１又は２記載の機能性グリコールゲル。
【請求項４】
前記グリコール系溶剤が、エチレングリコール系溶剤、プロピレングリコール系溶剤、エチレングリコール系エーテル類又はプロピレングリコール系エーテル類或いはこれらの混合溶剤である請求項１ないし３の何れか１項に記載の機能性グリコールゲル。
【発明の詳細な説明】
【技術分野】
【０００１】
本発明は、吸水、吸湿性を抑制した機能性グリコールゲルに関する。
【背景技術】
【０００２】
昨今、ゲル状の形態をした製品が数多く市場に出回っているが、その多くは水性ゲルであり、水性配合物を、カラギーナン、ジェランガム、ゼラチン、寒天などのゲル化剤でゲル化したものである。
水性ゲルの用途は、食品から家庭用芳香剤、昆虫の忌避剤に至るまで広範に渡り、洗浄成分、殺虫成分、香料、消臭成分等の機能性成分を含有させた機能性ゲルも多く知られている。一方、使用頻度は少ないがノルマルパラフィン、イソパラフィン、流動パラフィン、油脂、エステル類などの液状油剤をアルキルアルミニウムやイソバン、クレイトンなどを用いてゲル化した油性ゲルもある。
油性ゲルは、また、洗浄成分、殺虫成分、香料、消臭成分等の機能成分を含有させた機能性ゲルとして利用されている。
機能性ゲルの使用期間としては、１〜３ヶ月程度のものが多い。水性ゲルは、沸点１００℃の水をベースとしているため、揮散速度が速く短期間の使用に向いており、長期間使用できるように設計すると、大型化する傾向がある。
一方、油性ゲルは沸点１００℃前後のものから２００数十℃の広範囲のものまで広い選択肢があり、適度な沸点のものを選択して使用することが可能で、揮散速度の遅い油剤を使用すれば、長期間使用できるように設計することも容易である。
いずれのゲル製剤においてもベースとなる水、或いは、油剤における機能性成分の溶解度が低く、殆どの場合、界面活性剤を用いて可溶化する必要がある。
【０００３】
現在市場には殆ど存在しないが、ジベンジリデンソルビトールを用いて、グリコール系溶剤をゲル化することも可能である。ジベンジリデンソルビトールを用いたゲル化製剤としては、溶剤として、ジメチルスルホキシド、Ｎ，Ｎ−ジメチルホルムアミド、Ｎ−メチルピロリドン及びＮ，Ｎ−ジメチルアセトアミドを用い、ＤＤＶＰをゲル化した蒸散性殺虫剤（特開平０７−２６７８０９号公報）、香料成分をゲル化剤とともに多孔質支持体に含浸させ、多孔質支持体中で香料成分のオイルゲルを形成した固形芳香剤及び容器入り芳香剤（特開２００７−１１１２８１号公報）、ヒドロキシ官能基化シリコーン、安定化剤及びジベンジリデンソルビトールとプロピレングリコール等の溶媒、並びに活性剤を組み合わせて製造したジベンジリデンソルビトール及び官能基化シリコーン類を含む化粧品組成物（特表２００１−５２３７０３号公報）、ジベンジリデンソルビトール、誘導体化グアー、及び溶媒を含んでなる成分を組み合わせることにより製造される無水ゲル組成物からなるジベンジリデンソルビトールを有する発汗抑制剤（特表２００１−５２３７００号公報）、ジベンジリデンソルビトールを、発汗防止剤塩を含有する液状ビヒクルと混合して、加熱、冷却してゲルを形成させることを含む、ゲル状化粧用スティックを製造する方法（特表２００２−５０５４７０号公報）、液体媒体、前記液体媒体に溶解した発汗抑制剤塩、及びジベンジリデンソルビトールに、更に、ヒドロキシアルキルセルロース及び／又はキレート化剤を含んでなるジベンジリデンアルジトールを含む透明な発汗抑制剤スティック（特表平１１−５０１０３７号公報）等がある。
【０００４】
グリコール系溶剤をゲル化する利点はグリコール系溶剤の可溶化力が高く、多くの機能性成分を可溶化できるため、界面活性剤を添加せずに機能性ゲルを製造することができることである。
界面活性剤の添加を必要としないことは、種々の界面活性剤の可溶化力を調べたり、界面活性剤配合による製剤の安定化（色調変化、異臭）を確認する必要が無く、そのメリッ
トは大きい。しかしながら、グリコール系溶剤の高い吸水性によって、ゲルは大気中から水分を吸収、吸湿し、ゲルの表面を濡らすが、ゲル自体の吸水速度が遅いため、吸湿した水分をゲル内に取り込めず、ゲル表面に水が浮いた状態となり、ゲルの外観を損ねたり、浮いた水がこぼれて、ゲルが置かれた器財を汚損する。
【特許文献１】特開平０７−２６７８０９号公報
【特許文献２】特開２００７−１１１２８１号公報
【特許文献３】特表２００１−５２３７０３号公報
【特許文献４】特表２００１−５２３７００号公報
【特許文献５】特表２００２−５０５４７０号公報
【特許文献６】特表平１１−５０１０３７号公報
【発明の開示】
【発明が解決しようとする課題】
【０００５】
本発明は、吸水、吸湿性を抑制した機能性グリコールゲルの提供を課題とする。
【課題を解決するための手段】
【０００６】
本発明者は、ゲル組成物からできる限り水を除くことにより該ゲルの吸水、吸湿性を抑制しようとする従来の発想とは逆に、ゲル組成物に意図的に特定量の水を予め添加したところ、驚くべきことにゲルの吸水、吸湿性を抑制できることを見出した。更に、使用するグリコール系溶剤に対する水の溶解度の違いにより、吸水、吸湿性を抑制し得る水の添加量の範囲が異なることを見出し本発明を完成させた。
即ち、本発明は以下の構成を採用する。
（１）
（ａ）グリコール系溶剤３０〜９８．４質量％
（ｂ）ゲル化剤０．５〜３質量％
（ｃ）水、及び
（ｄ）機能性成分
を必須成分として含有する機能性グリコールゲルであって、
ｉ）成分（ａ）のグリコール系溶剤に対する水の溶解度が５０ｇ／１００ｇ以上である場合、水の配合量を２０〜５０質量％とし、
ｉｉ）成分（ａ）のグリコール系溶剤に対する水の溶解度が５０ｇ／１００ｇ未満である場合、水の配合量を１質量％から該溶剤に対する水の溶解度に相当する量までとすることを特徴とする機能性グリコールゲル。
（２）前記ゲル化剤が、１，３：２，４−ビス−Ｏ−ベンジリデン−Ｄ−グリシトール（ジベンジリデンソルビトール）であることを特徴とする前記（１）記載の機能性グリコールゲル。
（３）機能性成分が、洗浄成分、殺虫成分、昆虫忌避成分、殺ダニ成分、ダニ忌避成分、香料又は消臭成分から選択される少なくとも１種である前記（１）又は（２）記載の機能性グリコールゲル。
（４）前記グリコール系溶剤が、エチレングリコール系溶剤、プロピレングリコール系溶剤、エチレングリコール系エーテル類又はプロピレングリコール系エーテル類或いはこれらの混合溶剤である前記（１）ないし（３）の何れか１つに記載の機能性グリコールゲル。
尚、「溶剤に対する水の溶解度に相当する量まで」とは、例えば、使用するグリコール系溶剤に対する水の溶解度が１０ｇ／１００ｇである場合、水の添加量は１０質量％までとなることを意味する。
【発明の効果】
【０００７】
本発明の機能性グリコールゲルは、吸水、吸湿して外観を損ねたり、吸水した水が浮いて、ゲルが置かれている器財を汚損することのない有用な機能性ゲルである。
【発明を実施するための最良の形態】
【０００８】
以下、本発明の実施の形態を説明する。
本発明に用いられるグリコール系溶剤としては、エチレングリコール、ジエチレングリコール、トリエチレングリコール等のエチレングリコール系溶剤、プロピレングリコール、ジプロピレングリコール、トリプロピレングリコール、イソプレングリコール等のプロピレングリコール系溶剤、エチレングリコールメチルエーテル、エチレングリコールエチルエーテル、エチレングリコールプロピルエーテル、エチレングリコールブチルエーテル、ジエチレングリコールメチルエーテル、ジエチレングリコールエチルエーテル、ジエチレングリコールプロピルエーテル、ジエチレングリコールブチルエーテル等のエチレングリコール系エーテル類、プロピレングリコールメチルエーテル、プロピレングリコールエチルエーテル、プロピレングリコールプロピルエーテル、プロピレングリコールブチルエーテル、ジプロピレングリコールメチルエーテル、ジプロピレングリコールエチルエーテル、ジプロピレングリコールプロピルエーテル、ジプロピレングリコールブチルエーテル等のプロピレングリコール系エーテル類等が挙げられ、好ましくは、エチレングリコール、ジエチレングリコール、ジエチレングリコールブチルエーテル、プロピレングリコール、ジプロピレングリコール、トリプロピレングリコール、イソプレングリコール、プロピレングリコールメチルエーテル、ジプロピレングリコールプロピルエーテル、ジプロピレンブチルエーテル等及びこれらの混合溶剤が挙げられる。
また、本発明の機能性ゲルでは、機能性成分とともに、グリコール系溶媒も揮散することを考慮すると、プロピレングリコール系溶剤やプロピレングリコール系エーテル類等の安全性の高い溶剤が好適に使用される。
グリコール系溶剤の配合量は、機能性グリコールゲルの質量に基づき、３０ないし９８．４質量％の範囲である。
尚、グリコール系溶剤の中で、該溶剤に対する水の溶解度が５０ｇ／１００ｇ以上となるものとしては、エチレングリコール系溶剤、プロピレングリコール系溶剤が挙げられ、グリコール系溶剤の中で、該溶剤に対する水の溶解度が５０ｇ／１００ｇ未満となるものとしては、エチレングリコール系エーテル類、プロピレングリコール系エーテル類が挙げられる。
【０００９】
本発明に使用するゲル化剤としては、ジベンジリデンソルビトール類（ゲルオールＤシリーズ；新日本理化株式会社）が挙げられ、中でもジベンジリデンソルビトールが好適に使用される。
ゲル化剤の配合量は、機能性グリコールゲルの質量に基づき、０．５ないし３質量％の範囲である。
【００１０】
本発明に添加される水の種類に付いては特に制限はなく、水道水、井戸水、精製水等が使用できるが、特に、脱イオン水、逆浸透水等の精製水は不純物が少ないため、好適に使用される。
水の添加量は、使用されるグリコール系溶剤の種類及び添加量と、該溶剤に対する水の溶解度及び該溶剤の水に対する溶解度によって、適宜増減する必要があり、配合されるグリコール系溶剤（ａ）に対する水の溶解度が５０ｇ／１００ｇ以上のときは、水の配合量を２０〜５０質量％とし、配合されるグリコール系溶剤（ａ）に対する水の溶解度が５０ｇ／１００ｇ未満のときは、水の配合量を１質量％から該溶剤に対する水の溶解度に相当する量までとする。
溶剤に対する水の溶解度は、ゲルに配合される水の量（ゲルにおける水の含有量）に制限を与え、溶剤に対する水の溶解度及び溶剤の水に対する溶解度の両方は、該溶剤と水との相溶性、親和性を反映し、吸水力の大きさを示す。溶剤に対する水の溶解度及び溶剤の水に対する溶解度の両方が無限大となるグリコール系溶剤である、エチレングリコール系溶剤（エチレングリコール、ジエチレングリコール、トリエチレングリコール等）、プロ
ピレングリコール系溶剤（プロピレングリコール、ジプロピレングリコール、トリプロピレングリコール、イソプレングリコール等）は、ゲル化すると大きな吸水力（吸湿性）を示すため、その吸水力を抑制するためには、多量に水を配合しなければならない。また、エチレングリコール系エーテル類やプロピレングリコール系エーテル類のように水の溶解度が小さくても、水を含有しないゲルを作製すると、そのゲルは吸水性を示し、ゲルの水吸収力が弱いため、吸湿した水を吸収できず、ゲルの表面に水が浮いてしまう。元来、水の溶解度が小さく、水の配合量に制限があるが、水の溶解度が小さいグリコール系溶剤をゲル化した場合は、エチレングリコール系溶剤やプロピレングリコール系溶剤よりも比較的少ない水添加量で吸水力を抑制することができる。更に、添加される機能性成分の種類や量によっても吸水力を抑制するに十分な量の水添加量は変化し、また、水の配合によって消防法上の危険性も低下させ得る等、他の要素も勘案して、配合されるグリコール系溶剤に応じて、上記の範囲内で、適宜、それぞれの処方に応じた吸水力の抑制に十分な水添加量が決定される。
【００１１】
本発明に添加される機能性成分は、ゲル状の製品として使用可能であれば特に制限はないが、メトフルトロン、プロフルトリン、エムペントリン等のピレスロイド系殺虫成分、ＤＥＥＴ、昆虫忌避性植物成分、昆虫忌避香料等の昆虫忌避成分、殺ダニ成分、ダニ忌避香料等のダニ忌避成分、香料、消臭成分等の機能性成分が好適に配合される。
また、機能性成分は、上記機能性成分の２種以上を混合して用いることもできる。
機能性成分の配合量は、機能性グリコールゲルの質量に基づき、０．０１ないし５０質量％の範囲であり、好ましくは、０．０１ないし３０質量％の範囲である。
【００１２】
本発明の機能性グリコールゲルには、更に、含有される機能性成分の揮散を調整したり、他の機能を付加する目的で、界面活性剤、グリコール系以外の溶剤、防腐剤、紫外線吸収剤等を添加してもよい。
【００１３】
溶剤に対する水の溶解度が５０ｇ／１００ｇ以上となるグリコール系溶剤を用いて製造される機能性グリコールゲルにおける各成分の配合比（含有量）は以下の範囲とするのが好ましい。
（ａ）グリコール系溶剤：３０ないし７９質量％
（ｂ）ゲル化剤：０．５ないし３質量％
（ｃ）水：２０ないし５０質量％
（ｄ）機能性成分：０．０１ないし３０質量％
また、以下の範囲とするのがより好ましい。
（ａ）グリコール系溶剤：３０ないし７９質量％
（ｂ）ゲル化剤：０．５ないし３質量％
（ｃ）水：２０ないし５０質量％
（ｄ）機能性成分：０．０１ないし２０質量％
溶剤に対する水の溶解度が５０ｇ／１００ｇ未満となるグリコール系溶剤を用いて製造される機能性グリコールゲルにおける各成分の配合比（含有量）は以下の範囲とするのが好ましい。
（ａ）グリコール系溶剤：（４７−Ｘ）ないし９８．４質量％
（Ｘは、溶剤に対する水の溶解度に相当する量（質量％））
（ｂ）ゲル化剤：０．５ないし３質量％
（ｃ）水：１ないしＸ質量％
（Ｘは、溶剤に対する水の溶解度に相当する量（質量％））
（ｄ）機能性成分：０．０１ないし５０質量％
また、以下の範囲とするのがより好ましい。
（ａ）グリコール系溶剤：（６７−Ｘ）ないし９８．４質量％
（Ｘは、溶剤に対する水の溶解度に相当する量（質量％））
（ｂ）ゲル化剤：０．５ないし３質量％
（ｃ）水：１ないしＸ質量％
（Ｘは、溶剤に対する水の溶解度に相当する量（質量％））
（ｄ）機能性成分：０．０１ないし３０質量％
【実施例】
【００１４】
次に、具体的な実施例に基づいて、本発明の機能性グリコールゲルについて、更に詳細に説明する。
試験例
ゲル化剤（ゲルオールＤ：新日本理化株式会社製）と種々のグリコール系溶剤を表１に記載の配合量で配合するか又は前記２成分と精製水を表１に記載の配合量で配合し、加熱溶解した後、冷却してグリコール系ゲルを作製し、その吸湿性を調べた。
【表１】
2010100762.tif 000002
【００１５】
結果：
上記１ないし１６の試験例のグリコールゲルは、全てゲル化した。しかしながら、精製水を配合していない試験例１、２、３、６、９ないし１３及び１５は、ゲルを屋内に静置すると、水分を吸収して重量が増加し、吸湿した水分がゲルに吸収されず、ゲル表面に水が浮いた状態となった。
一方、精製水を配合した試験例５、８、１４及び１６では、吸湿による水の浮きは観られなかった。
また、試験例４、７では、溶剤に対する水の溶解度が５０ｇ／１００ｇ以上となるグリコール系溶剤である、プロピレングリコール、ジプロピレングリコールを用いたため、精製水１０質量％の配合では、吸水力を十分に抑制することができず、結果として、ゲル表面に水が浮いた状態となった。
また、ゲル化剤の配合量を０．２％にした試験例１７では、ゲル化しなかった。
また、グリコール系溶剤の代わりに水を用いた試験例１８でも、ゲル化剤は水に溶解せず、ゲル化はできなかった。
【００１６】
図１にプロピレングリコールを用いて製造したゲル（水の添加量が異なる）の写真（図１の左：試験例３のゲル、図１の中央：試験例４のゲル、図１の右：試験例５のゲル）を提示した。
試験例３及び４のゲル（左及び中央）ではゲル表面に水が浮き、ゲルの底辺部に水が溜まっているのに対し試験例５のゲル（右）では、ゲル表面に水が浮いておらず、ゲルの底辺部に水が溜まっていないことが判る。
図２にジプロピレングリコールを用いて製造したゲル（水の添加量が異なる）の写真（図２の左：試験例６のゲル、図２の中央：試験例７のゲル、図２の右：試験例８のゲル）を提示した。
試験例６及び７のゲル（左及び中央）ではゲル表面に水が浮き、ゲルの底辺部に水が溜まっているのに対し試験例８のゲル（右）では、ゲル表面に水が浮いておらず、ゲルの底辺部に水が溜まっていないことが判る。
図３にジプロピレングリコールプロピルエーテルを用いて製造したゲル（水の添加量が異なる）の写真（図３の左：試験例１３のゲル、図３の右：試験例１４のゲル）を提示した。
試験例１３のゲル（左）ではゲル表面に水が浮き、ゲルの底辺部に水が溜まっているのに対し試験例１４のゲル（右）では、ゲル表面に水が浮いておらず、ゲルの底辺部に水が溜まっていないことが判る。
図４にジプロピレングリコールブチルエーテルを用いて製造したゲル（水の添加量が異なる）の写真（図４の左：試験例１５のゲル、図４の右：試験例１６のゲル）を提示した。
試験例１５のゲル（左）ではゲル表面に水が浮き、ゲルの底辺部に水が溜まっているのに対し試験例１６のゲル（右）では、ゲル表面に水が浮いておらず、ゲルの底辺部に水が溜まっていないことが判る。
【００１７】
実施例１ないし６及び比較例１ないし３
グリコール系溶剤、ゲル化剤、精製水、機能性成分、その他の成分を表２に記載の配合量で配合し、加熱溶解した後、冷却して実施例１ないし６及び比較例１ないし３のゲルを作製し、その吸湿性を調べた。
【表２】
2010100762.tif 000003
【００１８】
結果：
溶剤に対する水の溶解度が５０ｇ／１００ｇ以上となるグリコール系溶剤（プロピレングリコール、ジプロピレングリコール、トリプロピレングリコール、イソプレングリコール）を用い、水の配合量を２０ないし５０質量％とした実施例１ないし４は何れも吸湿による水の浮きは観られなかった。
また、溶剤に対する水の溶解度が５０ｇ／１００ｇ未満となるグリコール系溶剤（プロピレングリコールメチルエーテル、ジプロピレングリコールブチルエーテル）を用い、水の配合量を１質量％から使用した溶剤に対する水の溶解度に相当する量まで（５質量％、４質量％）とした実施例５，６も吸湿による水の浮きは観られなかった。
一方、溶剤に対する水の溶解度が５０ｇ／１００ｇ以上となるグリコール系溶剤（プロピレングリコール、ジプロピレングリコール）を用い、水の配合量を２０ないし５０質量％よりも少ない１０質量％とした比較例１，２では、ゲル表面に水が浮いた状態となった。
また、溶剤に対する水の溶解度が５０ｇ／１００ｇ未満となるグリコール系溶剤（ジプロピレングリコールブチルエーテル）を用い、水の配合量を１質量％から使用した溶剤に対する水の溶解度（１０ｇ／１００ｇ）に相当する量（１０質量％）よりも多い２０質量％とした比較例３では、水の一部が分離した状態でゲル化が起こり、部分ゲルとなり、溶液全体のゲル化はできなかった。
尚、参考として、典型的なグリコール系溶剤の水に対する溶解度及び水の溶解度を表３に示した。
【表３】
2010100762.tif 000004
【００１９】
実用試験例
実施例２で作成した機能性グリコールゲルを屋内用芳香剤として使用したところ、ゲル表面に水が浮くことなく、十分な香り立ちがあった。
【図面の簡単な説明】
【００２０】
【図１】プロピレングリコールを用いて製造したゲル（水の添加量が異なる）の写真である（左：試験例３のゲル、中央：試験例４のゲル、右：試験例５のゲル）。
【図２】ジプロピレングリコールを用いて製造したゲル（水の添加量が異なる）の写真である（左：試験例６のゲル、中央：試験例７のゲル、右：試験例８のゲル）。
【図３】ジプロピレングリコールプロピルエーテルを用いて製造したゲル（水の添加量が異なる）の写真である（左：試験例１３のゲル、右：試験例１４のゲル）。
【図４】ジプロピレングリコールブチルエーテルを用いて製造したゲル（水の添加量が異なる）の写真である（左：試験例１５のゲル、右：試験例１６のゲル）。
【図１】
2010100762.tif 000005
【図２】
2010100762.tif 000006
【図３】
2010100762.tif 000007
【図４】
2010100762.tif 000008